(57)【要約】      （修正有）【課題】ユーザデバイスロケーション情報をアプリケーションプログラミングインタフェース（ＡＰＩ）を介してネットワーク最適化機能、アプリケーションおよび／またはサービスプロバイダに提供する。【解決手段】エリア境界を横断するユーザ機器（ＵＥ）を表すアクセスネットワークモビリティ管理エリア更新信号を受信し、ＵＥが、許可されたアプリケーションまたはネットワーク最適化機能に関連するエリア内に位置するかどうかを決し、ＵＥエリアに対して許可された何れかのアプリケーションまたはネットワーク最適化機能にＵＥロケーション情報を提供する。【選択図】なし【特許請求の範囲】
【請求項１】
エリア境界を横断するユーザ機器（ＵＥ）を表すアクセスネットワークモビリティ管理エリア更新信号を受信するステップ、
前記ＵＥが、許可されたアプリケーションまたはネットワーク最適化機能に関連するエリア内に位置するかどうかを決定するステップ、および
ＵＥエリアに対して許可された何れかのアプリケーションまたはネットワーク最適化機能にＵＥロケーション情報を提供するステップ、
を含む、方法。
【請求項２】
前記エリアが３Ｇネットワーク内のルーティングエリア（ＲＡ）を含み、前記エリア更新信号がルーティングエリア更新（ＲＡＵ）要求を含む、請求項１に記載の方法。
【請求項３】
前記エリアがロングタームエボリューション（ＬＴＥ）ネットワーク内のトラッキングエリア（ＴＡ）を含み、前記エリア更新信号がトラッキングエリア更新（ＴＡＵ）要求を含む、請求項１に記載の方法。
【請求項４】
前記提供されたロケーション情報がＵＥ識別子およびエリア識別子を含む、請求項１に記載の方法。
【請求項５】
前記エリアが複数のサブエリアに分割され、各サブエリアはそれぞれの無線リンクによりサポートされ、
前記提供されたロケーション情報が、サブエリアの境界を横断する前記ＵＥを表すハンドオフ信号をさらに含む、
請求項４に記載の方法。
【請求項６】
前記ロケーション情報が、オープンアプリケーションプログラミングインタフェース（ＡＰＩ）プラットフォーム（ＯＡＰ）を介して提供される、請求項１に記載の方法。
【請求項７】
許可されたアプリケーションまたはネットワーク最適化機能に関連する前記エリアがベニューに関連し、
前記許可されたアプリケーションまたはネットワーク最適化機能が、ベニュー内のコンテンツおよびアプリケーション、映像コンテンツ最適化、ＲＡＮリソース割り当て、アプリケーションベースの輻輳管理、ＱｏＳ改善、割引アクセスレートおよびアプリケーションスポンサー付きアクセスを配信するように、放送サービスの使用の少なくとも１つを含む、
請求項１に記載の方法。
【請求項８】
前記許可されたアプリケーションまたはネットワーク最適化機能に関連するセッションを開始することの勧誘が、エリアに入る加入者を表すロケーション情報に応じて開始され、セッションの終了は、エリアを出る加入者を表すロケーション情報に応じて開始される、請求項１に記載の方法。
【請求項９】
エリア境界を横断するユーザ機器（ＵＥ）を表すエリア更新信号を受信し、対応するＵＥが許可されたアプリケーションまたはネットワーク最適化機能に関連するエリア内に位置するかどうかを決定し、ＵＥエリアに対して許可された何れかのアプリケーションまたはネットワーク最適化機能にＵＥロケーション情報を提供するためのアクセスネットワークマネージャ；
を含む、ロケーション対応アプリケーションを管理するためのシステム。
【請求項１０】
コンピュータが方法を実行するように、コンピュータの動作を適応させるソフトウェア命令を処理するようにコンピュータが動作する、コンピュータプログラム製品であって、方法は、
エリア境界を横断するユーザ機器（ＵＥ）を表すエリア更新信号を受信するステップ、
前記ＵＥが、許可されたアプリケーションまたはネットワーク最適化機能に関連するエリア内に位置するかどうかを決定するステップ、および
ＵＥエリアに対して許可された何れかのアプリケーションまたはネットワーク最適化機能にＵＥロケーション情報を提供するステップ、
を含む、コンピュータプログラム製品。
【発明の詳細な説明】
【技術分野】
【０００１】
本発明は、一般に、無線通信ネットワークに関し、特に、そのようなネットワークのエアインタフェースにおける映像送信に関する。
【背景技術】
【０００２】
３Ｇネットワーク、４Ｇネットワーク、ＬＴＥ（Ｌｏｎｇ  Ｔｅｒｍ  Ｅｖｏｌｕｔｉｏｎ）ネットワークなどの無線アクセスネットワークは、モバイルデバイスおよび他のユーザ機器（ＵＥ）が移動する複数のゾーンまたはエリアを想定している。スポーツスタジアム、ショッピングモール、展示会場などの特定のサービスに関連付けられるゾーンに、無線（３Ｇ／４Ｇ）加入者が、いつ入ったかを決定する様々な機構が知られている。
【０００３】
一般的に、これらの機構は、ＵＥ、基地局、ｅＮｏｄｅＢなどの動作を適応させて、ＵＥロケーションを表す付加的なメッセージングを提供する。残念ながら、これらの機構は、ロケーションに関連するメッセージにおいてかなりの増加をもたらし、ゆえに、ロケーションに基づくサービスをサポートするのに莫大な設備費が必要となる。
【０００４】
たとえば、３ＧＰＰは、アーキテクチャ（３ＧＰＰ  ２３．２７１）および対応するＥ−ＵＴＲＡＮ能力（３ＧＰＰ  ＴＳ  ３６．３０５）を標準化して、ロケーションサービス（ＬＣＳ）をサポートしてきた。そのアーキテクチャにおいて、クライアントは、ＬＣＳサーバに要求を送信することにより、ＵＥロケーション情報を要求することがある。ＬＣＳサーバは、配備アーキテクチャに応じて、ホームおよび訪問先ゲートウェイモバイルロケーションサーバ（ＧＭＬＣ）ならびに進化型サービングＭＬＣ（Ｅ−ＳＭＬＣ）を含んでもよい。ＬＣＳサーバは、ＵＥロケーション情報を得て、要求元のクライアントへの応答を策定する様々な技術を用いてもよい。それらの技術としては、ＵＥにより受信された地球測位航法衛星システム（ＧＮＳＳ）情報（ＧＰＳ、ＧａｌｉｌｅｏおよびＧＬＯＮＡＳＳなどにより提供される）を用いること、ネットワークアシスト型ＧＰＳを用いること、セルＩＤおよび拡張セルＩＤを用いること、および／またはダウンリンクおよび／またはアップリンク観測到着時間差（ＯＴＤＯＡ）を用いることが挙げられる。
【０００５】
典型的なシナリオにおいては、３ＧＰＰ仕様は、得られたロケーション情報がＵＥおよび／またはｅＮＢからＥ−ＳＭＬＣ／ＧＭＬＣに配信され、コアネットワーク制御プレーンを介して要求元のクライアントに転送されることを必要とする。要約すると、ＬＴＥネットワークに対して、ＧＭＬＣは、ネットワーククライアントからロケーション情報についての要求を受信し、クライアント許可およびプライバシチェックを実行する。ＧＭＬＣは、ロケーション要求を、ＭＭＥを介してＥ−ＳＭＬＣに送信する。Ｅ−ＳＭＬＣは、ＵＥおよびｅＮＢとインタラクトして、ロケーション情報を得る。次に、ＭＭＥを介してＧＭＬＣに応答が返信される。次に、ＧＭＬＣＳは、要求元のネットワーククライアントに応答を返信する。
【０００６】
ロケーション情報を報告する代替の方法が、Ｏｐｅｎ  Ｍｏｂｉｌｅ  Ａｌｌｉａｎｃｅ、ＯＭＡ  ＡＤ  ＳＵＰＬ「Ｓｅｃｕｒｅ  Ｕｓｅｒ  Ｐｌａｎｅ  Ｌｏｃａｔｉｏｎ  Ａｒｃｈｉｔｅｃｔｕｒｅ」標準により提供される。ここで、ユーザプレーンベアラが、要求元のＵＥ  ＳＵＰＬクライアントとネットワークサーバとの間でロケーション関連メッセージを転送するように用いられる。
【０００７】
上記の解決方法のすべてには、混雑した環境下で、何千ものモバイルデバイスからの要求を扱うには、それら解決方法をよくない選択にする様々な問題がある。
【発明の概要】
【課題を解決するための手段】
【０００８】
従来技術における種々の欠落が、４Ｇまたは３Ｇ無線ネットワークの無線アクセスネットワーク（ＲＡＮ）層内の既存の音声および／またはデータ能力を利用することによりユーザデバイスロケーション情報を導出し、導出されたユーザデバイスロケーション情報をアプリケーションプログラミングインタフェース（ＡＰＩ）を介してネットワーク最適化機能、アプリケーションおよび／またはサービスプロバイダに提供するシステム、方法、装置および機構により対処される。
【０００９】
一実施形態による方法は、エリア境界を横断するユーザ機器（ＵＥ）を表すアクセスネットワークモビリティ管理エリア更新信号を受信するステップと、許可されたアプリケーションまたはネットワーク最適化機能に関連するエリア内にＵＥが位置するかどうかを決定するステップと、ＵＥエリアに対して許可された何れかのアプリケーションまたはネットワーク最適化機能にＵＥロケーション情報を提供するステップとを含む。
【００１０】
本明細書の教示については、添付図に関連して以下の詳細説明を検討することにより、容易に理解することができる。
【図面の簡単な説明】
【００１１】
【図１】種々の実施形態の利益を享受する例示としての無線通信システムの図である。
【図２】本実施形態を理解する上で有用な無線ネットワークエリアのグラフィック表現の図である。
【図３】図１の無線通信システムの一部の簡略図である。
【図４】一実施形態による方法のフロー図である。
【図５】本明細書で説明している機能の実行で用いるのに適切なコンピュータの上位レベルのブロック図である。
【発明を実施するための形態】
【００１２】
容易に理解できるように、できる限り、複数の図に共通する同一の要素を示すように同じ参照番号が用いられている。
【００１３】
本発明の実施形態は、４Ｇ（たとえば、ロングタームエボリューション（ＬＴＥ））または３Ｇ無線ネットワークの無線アクセスネットワーク（ＲＡＮ）層内の既存の音声および／またはデータ能力を利用することによりユーザデバイスロケーション情報を導出するように適合された種々の機構というコンテキスト内で主に記載されている。導出されたユーザデバイスロケーション情報は、アプリケーションプログラミングインタフェース（ＡＰＩ）または他の機構を介してアプリケーションおよび／またはネットワークサービス最適化のプロバイダに提供されてもよい。
【００１４】
ＬＴＥまたは３Ｇ無線ネットワークというコンテキスト内でエリア特有のアプリケーションおよび／またはネットワークサービス最適化を提供するというコンテキスト内で主に説明されている一方、当該技術分野で熟達しかつ本明細書の教示により情報が与えられる当業者は、種々の実施形態が２Ｇネットワーク、ＷｉＭＡＸ、８０２．１１ｘなどの他のタイプの無線ネットワークに関連するロケーション情報提供にも適用可能であることを理解するであろう。したがって、モバイルサービスを示すネットワーク要素、リンク、コネクタ、サイトおよび他のオブジェクトは、他のタイプの無線および有線ネットワークに関連するネットワーク要素を識別してもよい。さらに、種々の実施形態は、種々のタイプの無線ネットワークの組み合わせの使用を想定している。
【００１５】
一般的に、種々の実施形態は、ＬＴＥまたは３Ｇ無線ネットワークにおける加入者が特定のサービスに関連するゾーンにいつ入ったかを決定する大幅に拡張可能な機構を提供する。既存の機構と異なり、これらの種々の実施形態の機構は、ユーザ機器（ＵＥ）または基地局（ＢＳ）および／またはＵＥをサポートするｅＮｏｄｅＢに影響することなく、ならびに、ＬＴＥまたは３Ｇコアネットワーク内で新しいメッセージを必要とすることなく、これを実現する。種々の実施形態は、スポーツスタジアム、ショッピングモール、展示会場、空港、規定された地理的エリアなどの混雑したベニューまたは環境におけるベニュー特有のサービスを可能にするように適合される。
【００１６】
種々の実施形態は、ベニュー特有のアプリケーションおよび／またはネットワーク／サービス最適化が加入者に提供されてもよいような特定のベニューに加入者が入ったことを、ベニュー体験ポータル、アプリケーションサーバまたは他のエンティティに情報提供するように動作する。
【００１７】
図１は、種々の実施形態の利益を享受する例示としての無線通信システムを示す。特に、図１は、複数のユーザデバイス（ＵＤ）またはユーザ機器（ＵＥ）１０２／１２０、ＬＴＥ（Ｌｏｎｇ  Ｔｅｒｍ  Ｅｖｏｌｕｔｉｏｎ）ネットワーク１１０、ＩＰネットワーク１３０、管理システム（ＭＳ）１４０、ＵＥロケーション情報を提供するように適合された１つまたは複数のアプリケーションサーバ１５０およびネットワーク要素、例示的にオープンアプリケーションプログラミングインタフェース（ＡＰＩ）プラットフォーム（ＯＡＰ）１６０を含む例示としての無線通信システム１００を示す。
【００１８】
ＬＴＥネットワーク１１０は、ＵＤ１０２／１２０とＩＰネットワーク１３０との間の通信をサポートする。ＭＳ１４０は、ＬＴＥネットワーク１１０のための種々の管理機能をサポートするように構成される。
【００１９】
ＵＤ１０２／１２０は、ＬＴＥネットワーク１１０などの無線ネットワークにアクセスすることができる無線ユーザデバイスである。ＵＤ１０２／１２０は、ベアラセッションをサポートする制御シグナリングをサポートすることができる。ＵＤ１０２／１２０は、電話、タブレット、コンピュータまたは何れかの他のユーザ無線デバイスを含んでもよい。
【００２０】
ＬＴＥネットワーク１１０などのネットワークの一般的構成および動作を当業者は理解するであろう。例示としてのＬＴＥネットワーク１１０は、複数のｅＮｏｄｅＢ１１１１乃至１１１Ｎ（集合的には、ｅＮｏｄｅＢ１１１）、１つまたは複数のサービングゲートウェイ（ＳＧＷ）１１２、少なくとも１つのパケットデータネットワーク（ＰＤＮ）ゲートウェイ（ＰＧＷ）１１３、１つまたは複数のモビリティ管理エンティティ（ＭＭＥ）１１４、ならびに少なくとも１つのポリシーおよび課金ルール機能（ＰＣＲＦ）１１５を含む。この構成に対する様々な変更が当業者に知られていて、種々の実施形態に適用可能であるとして、本発明者が想定した。
【００２１】
ｅＮｏｄｅＢ１１１、ＳＧＷ１１２、ＰＧＷ１１３、ＭＭＥ１１４、ＰＣＲＦ１１５、および明確化を目的として省略された種々のＬＴＥネットワークコンポーネントは、ＩＰを用いてエンドツーエンドのサービス配信をサポートする進化型パケットコア（ＥＰＣ）を連携して提供する。他のアーキテクチャおよびそれらの変形も、実施形態をサポートするように、本発明者が想定した。
【００２２】
ｅＮｏｄｅＢ１１１は、ＵＤ１０２／１２０のそれぞれの群の無線アクセスインタフェース機能を提供する。図１に示すように、各ｅＮｏｄｅＢ１１１は、基地局スケジューラＳＣＨに関連付けられ、複数のＵＤ１０２／１２０のそれぞれをサポートする。ｅＮｏｄｅＢ１１１とＵＥ１０２／１２０との間の通信は、ＵＤ１０２／１２０の各々に関連するＬＴＥ−Ｕｕインタフェースを用いてサポートされる。
【００２３】
ＳＧＷ１１２は、Ｓ１−ｕインタフェースを用いて様々な複数のｅＮｏｄｅＢ１１１の通信をサポートする。Ｓ１−ｕインタフェースは、ハンドオーバー中にベアラ毎のユーザプレーントンネリングおよびｅＮｏｄｅＢ間パス切り換えをサポートする。ＳＧＷ１１２は、示されているものに比べてより多いまたはより少ないｅＮｏｄｅＢをサポートしてもよいことが理解されるであろう。
【００２４】
ＰＧＷ１１３は、それぞれのＳ５／Ｓ８インタフェースを用いてＳＧＷ１１２のための通信をサポートする。Ｓ５インタフェースは、ＰＧＷ１１３とＳＧＷ１１２との間の通信のためのユーザプレーントンネリングおよびトンネル管理、ＵＥモビリティのためのＳＧＷリロケーションなどの機能を提供する。Ｓ５インタフェースの公衆陸上移動網（ＰＬＭＮ）バリアントであってもよいＳ８インタフェースは、ビジターＰＬＭＮ（ＶＰＬＭＮ）におけるＳＧＷとホームＰＬＭＮ（ＨＰＬＭＮ）におけるＰＧＷとの間のユーザおよび制御プレーン接続性を提供するＰＬＭＮ間インタフェースを提供する。ＰＧＷ１１３は、例示的にはＳＧｉインタフェースを介して、ＬＴＥネットワーク１１０とＩＰネットワーク１３０との間の通信を容易にする。
【００２５】
ＭＭＥ１１４は、ＵＤ１０２／１２０のモビリティをサポートするモビリティ管理機能を提供する。ＭＭＥ１１４は、ＭＭＥ１１４とｅＮｏｄｅＢ１１１との間の通信のための制御プレーンプロトコルを提供するＳ１−ＭＭＥインタフェースを用いてｅＮｏｄｅＢ１１１をサポートする。
【００２６】
ＰＣＲＦ１１５は、動的割り当て能力を提供し、それにより、サービスプロバイダは、ＬＴＥネットワーク１１０を介して提供されるサービスに関連する規則、およびＬＴＥネットワーク１１０を介して提供されるサービスのための課金に関連する規則を管理してもよい。
【００２７】
図１に示すように、ＬＴＥネットワーク１１０の要素は、要素間のインタフェースを介して通信する。ＬＴＥネットワーク１１０に関して記載されているインタフェースはまた、セッションと称されることがある。
【００２８】
ＬＴＥネットワーク１１０は、進化型パケットシステム／ソリューション（ＥＰＳ）を含む。一実施形態では、ＥＰＳは、ＥＰＳノード（たとえば、ｅＮｏｄｅＢ１１１、ＳＧＷ１１２、ＰＧＷ１１３、ＭＭＥ１１４およびＰＣＲＦ１１５）ならびにＥＰＳ関連相互接続性（たとえば、Ｓ＊インタフェース、Ｇ＊インタフェースなど）を含む。ＥＰＳ関連インタフェースを、本明細書ではＥＰＳ関連パスと称することがある。
【００２９】
ＩＰネットワーク１３０は１つまたは複数のパケットデータネットワークを含み、それらのネットワークを介して、ＵＤ１０２／１２０はコンテンツ、サービスなどにアクセスしてもよい。
【００３０】
ＭＳ１４０は、ＬＴＥネットワーク１１０を管理する管理機能を提供する。ＭＳ１４０は、何れかの適切な様式でＬＴＥネットワーク１１０と通信してもよい。一実施形態では、たとえば、ＭＳ１４０は、ＩＰネットワーク１３０を横断しない通信パス１４１を介してＬＴＥネットワーク１１０と通信してもよい。一実施形態では、たとえば、ＭＳ１４０は、ＩＰネットワーク１３０によりサポートされる通信パス１４２を介してＬＴＥネットワーク１１０と通信してもよい。通信パス１４１および１４２は、任意の適切な通信能力を用いて実装されてもよい。図１のＭＳ１４０としての使用に適している例示としての管理システムは、図５に図示され、それに関連して説明されている。
【００３１】
一般的に、ＭＳ１４０は、ＵＥ１０２、ｅＮｏｄｅＢ１１１、サービングゲートウェイ（ＳＧＷ）１１２、パケットデータネットワーク（ＰＤＮ）ゲートウェイ（ＰＧＷ）１１３、モビリティ管理エンティティ（ＭＭＥ）１１４、ポリシーおよび課金ルール機能（ＰＣＲＦ）１１５ならびに種々の他のネットワーク要素（図示せず）を含む上述のネットワーク要素ならびにそれらの間の種々の通信リンクを管理するように適合される。
【００３２】
図１に関連して上述されている無線通信システム１００は、例示として、種々のＬＴＥプロトコルにより実装される４Ｇ無線ネットワークを含む。これらの実施形態では、ＭＭＥは、加入者またはＵＥのロケーションを導出するように用いられてもよい種々のｅＮｏｄｅＢから情報を受信する。
【００３３】
他の実施形態では、無線通信システム１００は、例示として、種々の３ＧＰＰプロトコルによりインクリメントされる３Ｇ無線ネットワークを含む。これらの実施形態では、汎用パケット無線サービス（ＧＰＲＳ）プロトコルは、ＵＥロケーションを導出するのに用いられてもよい種々の基地局から情報を受信するサービングＧＰＲＳサポートノード（ＳＧＳＮ）によりサポートされる。
【００３４】
一般的に、種々の実施形態は、アプリケーション、サービス配信最適化およびネットワーク最適化機能で用いるＬＴＥまたは３Ｇ無線ネットワークにおける加入者のＵＥロケーションと加入者またはユーザＩＤ（たとえば、ＭＳＩＳＤＮ、ＩＭＳＩ、ＩＰアドレスなど）を関連付けるシステム、機構、方法および／または装置を提供する。
【００３５】
種々の実施形態は、無線オペレータにより指定されたゾーンにユーザがいつ入ったかについて通知する。ゾーンは、４Ｇ／ＬＴＥのための３ＧＰＰトラッキングエリア（ＴＡ）、３Ｇ／ＵＭＴＳデータのためのルーティングエリア（ＲＡ）および３Ｇ音声サービスのためのロケーションエリア（ＬＡ）を用いて、オペレータにより指定されてもよい。これらのゾーンは、アプリケーションデータがＵＥに配信される必要があるときに、ＵＥが見つけられるように、地理的エリアを分割するようモバイルネットワークオペレータにより通常セットアップされる。種々の実施形態のコンテキスト内で、ＴＡ／ＲＡ／ＬＡはまた、ベニューに典型的に関連付けられるゾーンを規定してもよい。
【００３６】
種々の実施形態は、そのように許可されたゾーン内に位置する加入者またはＵＥに、アプリケーション、サービス配信最適化および／またはネットワーク最適化機能を提供するように動作する。たとえば、指定されたゾーン内で、より高い分解能が、接続状態にあるＵＥのハンドオフをトラッキングすることにより提供されてもよい。種々の実施形態では、ゾーン（ＴＡ、ＲＡ、ＬＡ）および／またはゾーン内のハンドオフ情報の両方が、ＭＭＥ／ＳＧＳＮ／ＭＳＣまたは同様のネットワーク要素からＡＰＩを介してエクスポーズされてもよい。種々の実施形態は、ＭＭＥ／ＳＧＳＮ／ＭＳＣにハンドオフおよびＴＡ／ＲＡ／ＬＡ更新を報告するＬＴＥおよび３Ｇネットワークにおいて既存のシグナリングを有利に利用する。このように、これらの実施形態は、新しいメッセージまたはＵＥクライアントを必要とせず、３ＧＰＰ（または、ＬＴＥ）標準に準拠している。
【００３７】
既存の機構と異なり、これが行われる様式は軽量であり、ゆえに、大幅に拡張可能であり、多数のユーザがスタジアムおよびショッピングモールのような大規模なベニューに入ったときに、「チェックイン」通知をサポートすることができる。
【００３８】
様々な実施形態は、ＯＡＰ１６０およびアプリケーションサーバ１５０の実装を提供する。たとえば、一実施形態では、ＯＡＰ１６０およびアプリケーションサーバ１５０のうちの１つまたは両方がスタンドアロンデバイスとして実装される。別の実施形態では、ＯＡＰ１６０およびアプリケーションサーバ１５０のうちの１つまたは両方が管理システム１４０の一部として実装される（たとえば、ＭＳ１４０内で実装されるまたはＭＳ１４０により直接制御される）。
【００３９】
図２は、本実施形態を理解する上で有用な無線ネットワークエリアのグラフィカル表現である。特に、図２は、複数のマクロセル２１０−１乃至２１０−３（集合的には、マクロセル２１０）および複数のメトロセル２２０−１乃至２２０−４（集合的には、メトロセル２２０）を示す。
【００４０】
メトロセル２２０は、ゾーン１として表される第１の地理的エリア、ベニューまたはゾーンの一部とみなされる。この地理的エリア、ベニューまたはゾーンは、スタジアム、ショッピングモール、競技場、コンサートホール、展示会場または何れか他のベニューを含んでもよい。
【００４１】
各マクロセル２１０またはメトロセル２２０は、その中に位置するモバイルデバイスとの無線交信をサポートするそれぞれのｅＮｏｄｅＢ１１１（４Ｇ）または基地局（３Ｇ）を含む。モバイルデバイスは、マクロセル２１０、メトロセル２２０またはそれらの確定された副部分の境界間を移動するとき、トラッキングおよびロケーション更新、ハンドオフなどの標準メッセージが、ＵＥから対応するｅＮｏｄｅＢ１１１（または基地局）に、そしてＭＭＥ１１４（またはＳＧＳＮ）に送信される。ＵＥからｅＮｏｄｅＢ１１１へ、そしてＭＭＥ１１４（またはＳＧＳＮ）への通信は、通常の無線ネットワークモビリティ管理手順の一部であり、したがって、ＵＥクライアントを必要とせず、ＵＥ、ｅＮｏｄｅＢまたはＭＭＥに付加的な通信オーバーヘッドを課さないことは注目される。
【００４２】
図３は、図１の無線通信システムの一部の簡略図を示す。特に、図３は、ＭＭＥ１１４（またはＳＧＳＮ）にロケーションデータＬＤＡＴＡを送信する複数のＵＥ１０２／１２０およびｅＮｏｄｅＢ１１１（または基地局）を示す。ロケーションデータＬＤＡＴＡは、マクロセル２１０、メトロセル２２０またはそれらの確定された副部分の境界間を移動するユーザデバイスに関連付けられる。
【００４３】
ＭＭＥ１１４（またはＳＧＳＮ）は、ＭＳ１４０およびアプリケーションサーバ１５０のうちの１つまたは両方への後続の伝搬のために、ロケーションデータＬＤＡＴＡをＯＡＰ１６０に転送してもよい。種々の実施形態では、ロケーションデータＬＤＡＴＡは、ＭＳ１４０およびアプリケーションサーバ１５０のうちの１つまたは両方に直接転送される。さらに他の実施形態では、ＭＭＥ１１４（またはＳＧＳＮ）は、ＯＡＰ１６０、ＭＳ１４０および／またはアプリケーションサーバ１５０にロケーションデータＬＤＡＴＡを転送するように動作するチェックインＡＰＩ３１０を含む。
【００４４】
本明細書で説明される種々の実施形態は、ＬＴＥプロトコルに準拠する４Ｇネットワーク、３ＧＰＰに準拠する３Ｇネットワークなどの種々のタイプのモバイル／無線ネットワークで用いるように適合されることが理解されるであろう。
【００４５】
図２および３を参照するに、ゾーン１として示された地理的エリア、ベニューまたはゾーンは、モバイルオペレータにより規定されたＬＴＥトラッキングエリア（ＴＡ）および／または３Ｇ／ＵＭＴＳルーティングエリア（ＲＡ）を含むことが仮定される。ゾーン１のエリアは、たとえば、ベニューに特有の体験が、そのベニューで用いることを目的としているアプリケーションおよびネットワーク最適化技術を用いて提供されるスタジアムまたはショッピングモールなどのベニューを取り囲む。
【００４６】
ＬＴＥネットワークにおけるＵＥがＴＡ境界を横断するとき、ＵＥは、３ＧＰＰにより規定される手順に従って、トラッキングエリア更新（ＴＡＵ）要求を送信し、ｅＮＢはそのメッセージをＭＭＥに転送する。
【００４７】
同様に、３Ｇ  ＵＭＴＳネットワークにおけるＵＥがＲＡ境界を横断するとき、ＵＥは、３ＧＰＰにより規定された手順に従って、ルーティングエリア更新（ＲＡＵ）要求を送信し、基地局はそのメッセージをＳＧＳＮに（ＲＮＣを介して）転送する。
【００４８】
ＭＭＥまたはＳＧＳＮは、ＵＥがそのベニューにいつ入ったか、またそのベニューからいつ出たかを認識するように、これらのメッセージ内に情報を記録する。３ＧＰＰプロトコルに従って、ある環境下にあるＭＭＥまたはＳＧＳＮは、ロケーションの変化についてＨＳＳに情報を提供するが、アプリケーションおよびネットワーク最適化機能により用いられるロケーションをさらにエクスポーズしない。
【００４９】
種々の実施形態では、ＴＡＵ要求またはＲＡＵ要求が発生するとき、ＭＭＥおよびＳＧＳＮは、例示的にはオープンＡＰＩプラットフォームを介して、それらをエクスポーズされる。ＯＡＰは、許可されたアプリケーションおよび最適化機能のみがＵＥロケーション情報にアクセスし得ることを確保するようセキュリティを提供する。そのＯＡＰはまた、使用を簡単にするために、たとえば、ＭＭＥ／ＳＧＳＮにより提供されたＵＥの識別子およびロケーション情報のプロプライエタリなストリームを、ＲＥＳＴ（Ｒｅｐｒｅｓｅｎｔａｔｉｏｎａｌ  Ｓｔａｔｅ  Ｔｒａｎｓｆｅｒ）ＡＰＩに変換するＡＰＩフォーマッティングおよび合成機能を提供してもよい。
【００５０】
種々の実施形態では、ＵＥがＲＡ／ＴＡ境界を横断して、そのベニューに入ったとき、ロケーションＡＰＩは、加入者がベニューに特有の経験の申し込みをするよう誘うように、オペレータにより制御されたサーバにより用いられてもよい。たとえば、フットボールスタジアムおよびその駐車場が、許可されたアプリケーションまたはネットワーク／サーバ最適化機能に関連する許可されたエリアまたはゾーンとして規定されていると仮定して、スタジアムの駐車場に入るすべての加入者は、彼等のモバイルデバイスを介して勧誘または「歓迎」メッセージを受信することが可能である。したがって、ロケーション情報は、本明細書で説明しているアプリケーション、改善されたネットワークサービスなどについての加入者勧誘をトリガするように用いられる。
【００５１】
歓迎メッセージは、ゲーム、映像、特別な提案および／またはインタラクティブアプリケーションを伴うベニューに特有の経験に参加するよう招待することを含んでもよい。歓迎メッセージはまた、アプリケーションに登録する加入者の見返りに、シートのアップグレード、軽食または他のサービスもしくはアイテムを提供してもよい。アプリケーションの登録を望む加入者は、トランザクションポータルまたはウェブサイトの方に方向づけられる。
【００５２】
歓迎メッセージは、ベニュー／イベントに関連するコンテンツが排他的に利用可能であるベニューに特有のポータル／アプリケーションストアにアクセスするようモバイルオペレータが勧誘することを含んでもよい。
【００５３】
歓迎メッセージは、改善されたサービス品質（ＱｏＳ）レベルにあるアプリケーションまたは他のモバイルサービスにアクセスするようモバイルオペレータが勧誘することを含んでもよい。
【００５４】
特に、許可されたアプリケーションまたはネットワーク最適化機能に関連するセッションを開始するよう勧誘することは、あるエリアに入る加入者を示すロケーション情報に応答して開始されてもよく、セッションの終了は、そのエリアから出る加入者を示すロケーション情報に応答して開始されてもよい。
【００５５】
種々の実施形態では、許可されたエリアまたはゾーン内の加入者の位置に関する粒度または精度をさらに提供する。すなわち、サブゾーンまたはサブエリアの加入者のロケーションを識別する上で有用な付加的なロケーション情報がまた、利用可能にされてもよい。そのような付加的ロケーション情報は、ベニュー内などでセル／ｅＮＢ間のハンドオフをエクスポーズすることにより、付加的なＴＡ／ＲＡ境界を確立することによって提供されてもよい。これらの付加的なロケーション機構はまた、ＭＭＥ／ＳＧＳＮが３ＧＰＰプロトコルにより特定されたＵＥロケーション（セル／ｅＮＢ）を認識するように、アクセスネットワーク内の既存の能力を利用する。
【００５６】
種々の実施形態では、ＧＰＳデータ、無線ネットワークロケーションデータなどのクライアントロケーションデータを用いることにより、許可されたエリアまたはゾーン内の加入者の位置に関する粒度または精度をさらに提供する。
【００５７】
サブゾーン、サブベニュー、サブエリアまたは他の改善された加入者ロケーション機構は、ＡＰＩインタフェースを介してリアルタイムにエクスポーズされるロケーションデータを提供してもよく、ロケーション特有のサービスをさらに提供するようにアプリケーションおよびネットワーク最適化機能により用いられてもよい。たとえば、加入者がフードコート付近でセルにより応対されているとき、加入者は、食品アイテムについての特別なオファーを提案されてもよく、売店をカバーするセルにより応対される加入者はこのオファーを受け取らなくてもよい。
【００５８】
種々の実施形態は、例示的にはベニュー特有の加入者体験をサポートするように、ネットワークオペレータにより用いられる複数のネットワーク／サービス配信または最適化機能を想定する。これらのネットワーク／サービス最適化機能は、ＡＰＩまたはある他の機能を介してトリガされてもよい。
【００５９】
図４は、一実施形態による方法のフロー図である。特に、図４の方法４００は、例示的にはベニュー特有のアプリケーションまたはネットワーク／サービス最適化を、可能にするように、４Ｇ／ＬＴＥネットワーク内のＭＭＥまたは３ＧＰＰネットワーク内のＳＧＳＮからＡＰＩを介してＵＥロケーションに関連する標準的３Ｇ／４Ｇシグナリングを伝搬するように適合される。
【００６０】
ステップ４１０では、あるエリアまたはサブエリアの境界を横断する加入者のユーザデバイス（ＵＤ）またはユーザ機器（ＵＥ）を表すエリア更新信号がＭＭＥまたはＳＧＳＮにより受信される。ボックス４１５を参照するに、エリア更新信号は、３Ｇ／ＵＭＴＳルーティングエリアに関連する境界を横断するＵＥを表すルーティングエリア更新（ＲＡＵ）メッセージ、ＬＴＥトラッキングエリアに関連する境界を横断するＵＥを表すトラッキングエリア更新（ＴＡＵ）メッセージ、またはある他のロケーションに関連する信号などのアクセスネットワークモビリティ管理更新信号を含んでもよい。
【００６１】
ステップ４２０では、ＵＥが許可されたアプリケーションまたはネットワーク／サービス最適化機能に関連するエリア内に位置するかどうかの決定がなされる。ボックス４２５を参照するに、このエリアは、マクロセルもしくはその一部、メトロセルもしくはその一部、エリアもしくはサブエリア、ゾーンもしくはサブゾーン、ベニューもしくはサブベニュー、トラッキングエリア、ルーティングエリア、ロケーションエリア、または他の規定もしくは確定されたエリアを含んでもよい。
【００６２】
ステップ４３０では、ＵＥロケーション情報が、ＵＥロケーションエリアについて許可された１つまたは複数のアプリケーションおよび／またはネットワーク／サービス最適化機能に提供される。ボックス４３５を参照するに、ＵＥロケーション情報は、ＵＥ識別子、エリア識別子、ＲＡＵ／ＴＡＵメッセージ、ハンドオフ信号、ベニュー識別子、「入っていくエリア」指示、「出ていくエリア」指示、またはある他のシステムもしくはクライアントにより導出されたロケーション情報のうちの一部または全部を含んでもよい。たとえば、あるエリアに入っていく加入者を表すロケーション情報は、加入者にセッションに基づく様式で提供できる、本明細書で説明しているような、アプリケーション、改善されたネットワークサービスなどについての加入者勧誘をトリガするように用いられてもよい。同様に、あるエリアから出ていく加入者を表すロケーション情報は、加入者のために生成された何れかのセッションの中止をトリガするように用いられてもよい。これらのセッションは、導出された加入者のロケーション情報または特定エリア立入／退出ロケーション情報に応じて、生成または削除されてもよい。
【００６３】
ステップ４４０では、許可されたアプリケーションおよび／またはネットワーク／サービス最適化にアクセスするためのＵＥインタラクションがサポートされる。ボックス４４５を参照するに、そのようなサポートは、ＵＥのアプリケーション／サービス勧誘、アプリケーション／サービスセッション開始、セッション実現およびセッション切断、精細な粒度またはサブベニューアプリケーションまたはネットワーク／サービス最適化、および他のアプリケーションおよびネットワーク／サービス最適化のうちの一部または全部を可能にすることにより提供されてもよい。
【００６４】
ステップ４５０では、許可されたアプリケーションおよび／またはネットワーク／サービス最適化のＵＥへの配信がサポートされる。ボックス４５５を参照するに、種々のアプリケーションまたはネットワーク／サービス最適化機能は、例示として、（１）ベニュー内でコンテンツおよびアプリケーションを配信する放送サービス（たとえば、ＬＴＥ  ｅＭＢＭＳ）の使用、（２）映像コンテンツ最適化（たとえば、改善された圧縮／トランスコーディング）、（３）ＲＡＮリソース割り当て（たとえば、専用ベアラ割り当て）、（４）アプリケーションベースの輻輳管理（たとえば、輻輳環境下で、低帯域幅モードへのアプリケーション切り換え）、（５）３ＧＰＰネットワークにおける専用ベアラのセットアップを介するなどのＱｏＳ改善、（６）割引アクセスレートならびに（７）アプリケーションスポンサー付きアクセスを含んでもよい。他のネットワークまたはサービス最適化機能がまた、提供されてもよい。
【００６５】
図５は、ＵＤ１０２／１２０、ｅＮｏｄｅＢまたは基地局１１１、ＭＭＥもしくはＳＧＳＮ１１４、ＳＧＷ１１２、ＰＧＷ１１３、ＰＣＲＦ１１５、ＭＳ１４０、アプリケーションサーバ１５０、ＯＡＰ１６０および／または様々な他のネットワーク要素に関して上述したような機能を実行する上で用いるのに適切なコンピュータの上位レベルのブロック図である。
【００６６】
図５に示すように、コンピュータ５００は、プロセッサ要素５０２（たとえば、中央処理装置（ＣＰＵ）および／または他の適切なプロセッサ）、メモリ５０４（たとえば、ランダムアクセスメモリ（ＲＡＭ）、読み出し専用メモリ（ＲＯＭ）など）、連携モジュール／プロセス５０５、および種々の入力／出力デバイス５０６（たとえば、ユーザ入力デバイス（キーボード、キーパッド、マウスなど）、ユーザ出力デバイス（ディスプレイ、スピーカなど）、入力ポート、出力ポート、受信器、送信器および記憶デバイス（たとえば、持続性ソリッドステートドライブ、ハードディスクドライブ、コンパクトディスクドライブなど））を含む。
【００６７】
図５に示すコンピュータ５００は、本明細書に記載した機能要素を実施するのに適切な一般的アーキテクチャおよび機能性、または本明細書に記載した機能要素を実装するネットワークの一部を提供することが理解されるであろう。
【００６８】
本明細書で説明しているステップのいくつかは、たとえば、種々の方法のステップを実行するプロセッサと連携する回路として、ハードウェア内で実装されてもよいことが意図されている。本明細書で記載している機能／要素の一部は、コンピュータプログラム製品として実装されてもよく、コンピュータ命令は、コンピュータにより処理されるときに、本明細書で記載している方法および／または技術が呼び出されるまたは他の方法で提供されるように、コンピュータの動作を適応させる。本発明の方法を呼び出す命令は、固定または取り出し可能媒体またはメモリなどの有形のおよび非一時的コンピュータ可読媒体に記憶されてもよく、および／または、この命令により動作するコンピューティングデバイス内のメモリに記憶されてもよい。
【００６９】
上述のように、種々の実施形態は、ユーザ機器（ＵＥ）またはＵＥをサポートする基地局（ＢＳ）および／またはｅＮｏｄｅＢに影響を与えるのを回避するように、およびＬＴＥまたは３Ｇコアネットワーク内で新しいメッセージを要求することなく、ベニュー特有のアプリケーションおよび／またはネットワーク／サービス最適化が加入者に提供されることができる機構を提供する。
【００７０】
これらの解決方法のすべては、混雑した環境下で数千のモバイルデバイスに応対するのに、その選択をよくない選択にする様々な問題点を被る。これらの種々の問題点としては、（１）ロケーションの報告はＧＭＬＣにより要求／応答ベースでＵＥに対して個別にトリガされ、このことは、すべての加入者にベニュー／ロケーション特有のサービスが提供される混雑したロケーションに対して必要な範囲までその解決方法を拡張可能にしないこと、（２）ネットワークシグナリング能力にかなり影響を与える３ＧＰＰにより指定されたロケーションを報告する制御プレーン、（３）複数のベンダーからの機器間において、ほとんどの場合に、関連するコストおよびインタフェース統合を伴う、新しいネットワーク要素（ＧＭＬＣＳ、Ｅ−ＳＭＬＣなど）の必要性、（４）アップリンクおよびダウンリンクＯＴＤＯＡロケーション決定、ならびにＵＥクライアントを必要とするＯＭＡ  ＡＤ  ＳＵＰＬ、（５）エアインタフェース能力に影響するロケーション報告技術（ＵＥがアクティブのときのセルＩＤ報告を除く）、（５）ショッピングモールおよびあるスタジアムのようなインドアのベニューで機能しないＧＰＳなどの全地球航法衛星システム、ならびに（６）現在のセルＩＤに基づく方法は、アイドルモードにあるＵＥが起動されてネットワークに対して現在のセルロケーションについて報告できることを仮定しているが、このことは、ＵＥの電池寿命に影響し、混雑したロケーションに対する受け入れられないネットワーク負荷を生成すること、の一部またはすべてを含むことがある。
【００７１】
上述は、本発明の種々の実施形態を対象とする一方、本発明の他のおよびさらなる実施形態が、本発明の基本的な範囲から逸脱することなく、考え出されることが可能である。そのため、本発明の適切な範囲は、特許請求の範囲により定められる。
【図１】
2018174562.tif 000002
【図２】
2018174562.tif 000003
【図３】
2018174562.tif 000004
【図４】
2018174562.tif 000005
【図５】
2018174562.tif 000006
【手続補正書】
【提出日】平成30年7月20日(2018.7.20)
【手続補正１】
【補正対象書類名】特許請求の範囲
【補正対象項目名】全文
【補正方法】変更
【補正の内容】
【特許請求の範囲】
【請求項１】
エリア境界を横断するユーザ機器（ＵＥ）を表すアクセスネットワークモビリティ管理エリア更新信号を、ネットワーク要素において受信するステップと、
前記ＵＥが、許可されたアプリケーションまたはネットワーク最適化機能に関連するエリア内に位置するかどうかを、ネットワーク要素において決定するステップであって、許可されたアプリケーションまたはネットワーク最適化機能は、許可されたアプリケーションまたはネットワーク最適化機能に関連する前記エリア内に位置しているＵＥに対するＵＥロケーション情報の受信を許可されている、ステップと、
ネットワーク要素から前記許可されたアプリケーションまたはネットワーク最適化機能に向けて、前記ＵＥのＵＥロケーション情報を提供するステップと、
を含む、方法。
【請求項２】
許可されたアプリケーションまたはネットワーク最適化機能に関連する前記エリアが３Ｇネットワーク内のルーティングエリア（ＲＡ）を含み、前記エリア更新信号がルーティングエリア更新（ＲＡＵ）要求を含む、請求項１に記載の方法。
【請求項３】
許可されたアプリケーションまたはネットワーク最適化機能に関連する前記エリアがロングタームエボリューション（ＬＴＥ）ネットワーク内のトラッキングエリア（ＴＡ）を含み、前記エリア更新信号がトラッキングエリア更新（ＴＡＵ）要求を含む、請求項１に記載の方法。
【請求項４】
前記提供されたロケーション情報がＵＥ識別子およびエリア識別子を含む、請求項１に記載の方法。
【請求項５】
許可されたアプリケーションまたはネットワーク最適化機能に関連する前記エリアが複数のサブエリアに分割され、各サブエリアはそれぞれの無線リンクによりサポートされ、
前記提供されたロケーション情報が、サブエリアの境界を横断する前記ＵＥを表すハンドオフ信号をさらに含む、
請求項４に記載の方法。
【請求項６】
前記ロケーション情報が、オープンアプリケーションプログラミングインタフェース（ＡＰＩ）プラットフォーム（ＯＡＰ）を介して提供される、請求項１に記載の方法。
【請求項７】
許可されたアプリケーションまたはネットワーク最適化機能に関連する前記エリアがベニューに関連し、
前記許可されたアプリケーションまたはネットワーク最適化機能が、ベニュー内でコンテンツおよびアプリケーションを配信する放送サービスの使用、映像コンテンツ最適化、ＲＡＮリソース割り当て、アプリケーションベースの輻輳管理、ＱｏＳ改善、割引アクセスレートおよびアプリケーションスポンサー付きアクセスの少なくとも１つを含む、
請求項１に記載の方法。
【請求項８】
前記許可されたアプリケーションまたはネットワーク最適化機能に関連するセッションを開始することの勧誘が、エリアに入る加入者を表すロケーション情報に応じて開始され、セッションの終了は、エリアを出る加入者を表すロケーション情報に応じて開始される、請求項１に記載の方法。
【請求項９】
エリア境界を横断するユーザ機器（ＵＥ）を表すエリア更新信号を受信し、対応するＵＥが許可されたアプリケーションまたはネットワーク最適化機能に関連するエリア内に位置するかどうかを決定し、許可されたアプリケーションまたはネットワーク最適化機能は、許可されたアプリケーションまたはネットワーク最適化機能に関連する前記エリア内に位置しているＵＥに対するＵＥロケーション情報の受信を許可されており、前記許可されたアプリケーションまたはネットワーク最適化機能に向けて、前記ＵＥのＵＥロケーション情報を提供するためのアクセスネットワークマネージャ；
を含む、ロケーション対応アプリケーションを管理するためのシステム。
【請求項１０】
コンピュータが方法を実行するように、コンピュータの動作を適応させるソフトウェア命令を処理するようにコンピュータが動作する、コンピュータプログラムであって、方法は、
エリア境界を横断するユーザ機器（ＵＥ）を表すエリア更新信号を受信するステップと、
前記ＵＥが、許可されたアプリケーションまたはネットワーク最適化機能に関連するエリア内に位置するかどうかを決定するステップであって、許可されたアプリケーションまたはネットワーク最適化機能は、許可されたアプリケーションまたはネットワーク最適化機能に関連する前記エリア内に位置しているＵＥに対するＵＥロケーション情報の受信を許可されている、ステップと、
前記許可されたアプリケーションまたはネットワーク最適化機能に向けて、前記ＵＥのＵＥロケーション情報を提供するステップと、
を含む、コンピュータプログラム。